(57)【要約】      （修正有）【課題】歯科ユニットチェア用全自動乾式サクション装置を提供する。【解決手段】サイクロン遠心分離手段２０は、上端には、エアコンプレッサー１０の空気吸入口と連結されて、上端部の周囲がユニットチェアのサクションチップと連結され、下端に異物排出口２３を有する円錐形部２１ａを備えたサイクロン気液分離器と、このサイクロン気液分離器の異物排出口と連結される流入口２４を上端に持つ、下端には排出口２５を有する異物貯蔵庫２２と、サイクロン気液分離器の異物排出口と異物貯蔵庫の排出口に両端が３方向バルブ２７ａ、２７ｂを介してそれぞれ連結される分岐管２６と、エアコンプレッサーの吐出口と分岐管を連結する排気管２８を備えて構成される。【選択図】図１
2018108351.tif 000002
【特許請求の範囲】
【請求項１】
歯科用ユニットチェアのサクションチップに真空を付与する全自動乾式サクション装置として、空気吸入口と吐出口を有するエアコンプレッサー；上端が上記エアコンプレッサーの空気吸入口と連結されて、上端部の周囲が上記ユニットチェアのサクションチップに繋がって、患者の口腔から吸入された異物が含まれている汚水を空気と分離、除去するサイクロン遠心分離手段；を含んでおり、サイクロン遠心分離手段が、上端がエアコンプレッサーの空気吸入口と連結されて、上端部の周囲がユニットチェアのサクションチップと連結され、下端に異物排出口を有する円錐形部を備えたサイクロン気液分離器と、上記サイクロン気液分離器の異物排出口と連結されている流入口を上端に持っていて、下端に排出口を有する異物貯蔵庫と、上記サイクロン気液分離器の異物排出口及び上記異物貯蔵庫の排出口に両端が３方向バルブを介して、それぞれ繋がっている分岐管と上記エアコンプレッサーの吐出口と上記分岐管を連結する排気管を備えることを特徴とする歯科ユニットチェア用全自動ドライサクション装置。
【請求項２】
削除
【請求項３】
請求項１において、上記サイクロン気液分離器に異物のレベルを検出するレベルセンサーを備えたことを特徴とする歯科ユニットチェア用全自動乾式サクション装置。
【請求項４】
歯科用ユニットチェアのサクションチップに真空を付与する全自動乾式サクション装置として、空気吸入口と吐出口を有するエアコンプレッサー；上端が上記エアコンプレッサーの空気吸入口と連結されて、上端部の周囲が上記ユニットチェアのサクションチップに連結され、患者の口腔から吸入された異物が含まれている汚水を空気と分離、除去するサイクロン遠心分離手段；を含んでおり、上記サイクロン遠心分離手段が、下端部に異物排出口が形成された円錐形部をそれぞれ有する第１及び第２のサイクロン気液分離器と、上記第１サイクロン気液分離器の上端部の周囲と前記ユニットチェアのサクションチップを連結する第１吸入管と、入口が上記第１吸入管に第３の３方向バルブを介して連結され、出口が上記第２サイクロン気液分離器の上端部の周囲に連結される第２吸入管と、上記第１サイクロン気液分離器の上端と上記エアコンプレッサーの空気吸入口を連結する第１の吸気管と、入口が上記第２のサイクロン気液分離器の上端に連結され、出口が上記第１吸気管に第４の３方向バルブを介して連結されている第２吸気管と、上記第１及び第２サイクロン気液分離器の真空を選択的に破壊する真空破壊手段を備えることを特徴とする歯科ユニットチェア用全自動乾式サクション装置。
【請求項５】
請求項４において、上記第１及び第２のサイクロン気液分離器にそれぞれの異物のレベルを検出する第２および第３のレベルセンサーが備えられることを特徴とする歯科ユニットチェア用全自動乾式サクション装置。
【請求項６】
請求項４または請求項５において、上記真空破壊手段が、一端が上記第３の３方向バルブ後方に位置するように上記第１吸引に連結され、他の端が上記第２吸気管に連結されている真空破壊管及び前記真空破壊管に設置され、前記第１及び第２のサイクロン気液セパレータのいずれかを選択的に大気と繋がる第５の３方向バルブからなることを特徴とする歯科ユニットチェア用全自動乾式サクション装置。
【請求項７】
請求項４または請求項５において、上記真空破壊手段が、一端が上記第３の３方向バルブ後方に位置するように上記第１吸入管に連結され、他の端が上記第２吸気管に連結されている真空破壊管及び上記真空破壊管に設置され、上記第１及び第２のサイクロン気液分離器の中、いずれかを選択的に大気と繋ぐ第５の３方向バルブで構成されるのを特徴とする歯科ユニットチェア用全自動乾式サクション装置。
【発明の詳細な説明】
【技術分野】
【０００１】本発明は、歯科診療及び手術時に使用するユニットチェアに真空を付与して、患者の口腔から唾液や血膿などが混ざった汚水を除去することができるサクション装置に関するものである。詳しくは、エアコンプレッサー（ａｉｒ  ｃｏｍｐｒｅｓｓｏｒ）の吸入力を利用して、ユニットチェアに真空を付与することにより、一般的な湿式（水封式）真空ポンプで発生する余分な水の消費量を完全に排除することができ、吸入された汚水から唾液や血膿などの異物を完全に分離させて異物が真空ポンプに流入してしまうことを確実に遮断し、真空ポンプの損傷や効率の低下を防止することができるようにした、歯科ユニットチェア用全自動乾式サクション装置に関するものである。
【背景技術】
【０００２】一般的に歯科では、患者が横になって診療を受ける又は手術を受けるために使用されているユニットチェアは、歯科的治療と手術に必要な各種道具、例えばハンドピース（ｈａｎｄｐｉｅｃｅ）、サクションチップ（ｓｕｃｔｉｏｎ  ｔｉｐ）、スピットン及び洗浄水供給手段などを一緒に備えて、効率的な治療を可能にする非常に重要な歯科医療用品である。【０００３】サクション装置は、この中でユニットチェアのサクションチップに真空を付与して、歯科診療と手術時に患者の口腔内に発生した唾液や血膿、歯石などの異物を口腔内に噴射された洗浄水と一緒にサクションチップを利用して排出させる装置で、ユニットチェアに欠かせない非常に重要な要素である。【０００４】これらのサクション装置は、吸入物が液体であるため、水封式真空ポンプを採用しているのが一般的である。【０００５】水封式真空ポンプは、周知のように円筒状のシリンダー内にインペラ（ｉｍｐｅｌｌｅｒ）を偏心になるよう設置して、これに封水（ｓｅａｌｉｎｇ  ｗａｔｅｒ）を入れてインペラを回転させることで、遠心力でシリンダー内壁に形成された輪状の水幕と偏心されたインペラとの間の空間の体積変化に応じて流体を吸入及び排出させるために、円滑且つ効率的な動作のためには適正封水量の供給が非常に重要である。【０００６】ところが、サクションチップを介して患者の口腔から吸入された唾液や血膿などの異物と洗浄水が水封式真空ポンプのシリンダー内に流入してしまうことにより、真空ポンプの効率を低下させるだけでなく、長期間使用時、唾液や歯垢などの異物がインペラなどに積層して過負荷を誘発し、真空ポンプのモータの損傷を引き起こすこともある。【０００７】そのため、装置の動作中でも真空ポンプのシリンダーに頻繁に封水を供給しながらシリンダー内の汚染された封水を排出する必要がある。また、封水の消費量が多くなり、適正な封水量の維持が非常に難しく、真空ポンプの効率を下げる原因であった。【０００８】特に、排出される封水は、患者の口腔から流入した大量の唾液や血膿、歯石などの異物が混ざっているため、悪臭を誘発し、そのまま下水道に捨てられて水質を汚染させる深刻な問題も内包している。【０００９】韓国登録特許１０−１３４１１３９号には、サクションノズルによって吸入された汚水が格納されている汚水タンクを備えて、その上端を水封式真空ポンプの第１吸入部と連結し、真空ポンプの第２吸入部及び排出部と閉回路を構成するように、それぞれの上端に排気部を有する封水タンクを備えて汚水のみを分離排出させることで封水の汚染を防止し、それに応じて封水を再利用できるようにした歯科用サクション装置が開示されている。【００１０】ところが、この技術は次のような致命的な問題点を内包していた。【００１１】第一に、汚水タンクに貯蔵された汚水を排出するためには、内部が真空であるため、センサーの信号によって装置の稼動を停止し排出するしかないため、使用が非常に不便で、また連続且つ効率的治療を阻害するおそれが多分にある。【００１２】第二に、汚水タンクと真空ポンプをつなぐ第２の吸入管の入口に異物の流入を防止するためのフィルタを備えているものの、かなりの真空圧力が掛かる状態で、歯石や��削物などの微粒子の状態の異物を確実にフィルタリングすることは困難であること、また、フィルタを頻繁に交換もしくはクリーニングを行う必要がある。【００１３】第三に、封水タンクの水を真空ポンプに再循環させることで、封水量削減を図っているが水封式真空ポンプの特性上、一定時間稼働した場合、水温が大きく上昇してポンプ内にキャビテーション（ｃａｖｉｔａｔｉｏｎ）現象が発生することで、インペラなどに致命的な損傷を引き起こすことになり、別途冷却手段のない封水の再利用は、事実上不可能である。
【先行技術文献】
【特許文献】
【特許文献】ＫＲ１０２０１３０１００９２１  Ａ＊  ＫＲ１０１１７９８７５  Ｂ１  ＫＲ２００４６６５１３  Ｙ１  ＫＲ１０１１７０２９５  Ｂ１  ＊審査官によって引用された文献
【発明の概要】
【発明が解決しようとする課題】
【００１４】本発明は、上述した従来の諸問題点を解決するために創案されたものである。歯科診療時サクション装置の駆動に伴う余分な水の消費量を完全に排除し、患者の口腔から吸入された唾液や血膿などが混ざった汚水を空気と完全に分離させて、純粋な清浄空気だけが真空ポンプに流入するようにすることにより、異物による真空ポンプの損傷や効率の低下を最小限に抑えることができる歯科ユニットチェア用全自動乾式サクション装置を提供することが目的である。【００１５】本発明の別の目的は、サクション装置を停止せず、空気と分離された異物を自動的且つ容易に排出させることができること、また、水質汚染を最小化することができる歯科ユニットチェア用全自動乾式サクション装置を提供することである。
【課題を解決するための手段】
【００１６】このような目的を達成するための本発明による歯科ユニットチェア用全自動乾式サクション装置の第１発明は、空気吸入口と吐出口を有するエアコンプレッサー；上端がエアコンプレッサーの吸入口に連結されて、上端部の周りがユニットチェアのサクションチップに連結され、患者の口腔から吸入された異物が含まれている汚水を空気と分離し、除去するサイクロン遠心分離手段；を含んでおり、サイクロン遠心分離手段が、上端には、エアコンプレッサーの空気吸入口と連結され、上端部の周囲がユニットチェアのサクションチップと連結、下端に異物排出口を有する円錐形部を備えたサイクロン気液分離器と、このサイクロン気液分離器の異物排出口と連結されている入口を上端に持っていて、下端に排出口を有する異物貯蔵庫と、サイクロン気液分離器の異物排出口と異物貯蔵庫の排出口に両端が３方向バルブを介して、それぞれ繋がっている分岐管とエアコンプレッサーの吐出口及び分岐管を連結する排気管を備えることを特徴とする。【００１７】削除【００１８】また、上記のような目的を達成するための本発明による歯科ユニットチェア用全自動乾式サクション装置の第２発明は、空気吸入口と吐出口を有するエアコンプレッサー；上端がエアコンプレッサーの吸入口と連結されて、上端部の周囲がユニットチェアのサクションチップに連結され、患者の口腔から吸入された異物が含まれている汚水を空気と分離、除去するサイクロン遠心分離手段；を含んでおり、サイクロン遠心分離手段が、下端部に異物排出口が形成された円錐形部をそれぞれ有する第１及び第２のサイクロン気液分離器と、第１サイクロン気液分離器の上端部周りとユニットチェアのサクションチップを連結する第１吸入管と、入口が第１吸入管に第３の３方向バルブを介して連結され、出口が第２サイクロン気液分離器の上端部周りに連結される第２吸入管と、第１サイクロン気液分離器の上端とエアコンプレッサーの空気吸入口を連結する第１の吸気管と、入口が第２サイクロン気液分離器の上端に連結され、出口が第１排気管に第４の３方向バルブを介して連結される第２吸気管と、第１及び第２のサイクロン気液分離器の真空を選択的に破壊する真空破壊手段を備えることを特徴とする。【００１９】ここで、真空破壊手段は、一端が第３の３方向バルブ後方に位置するように、第１吸入管に連結され、他の端が第２吸気管に連結される真空破壊管と真空破壊管に設置され、第１及び第２のサイクロン気液分離器のいずれかを選択的に大気とつながる第５の３方向バルブとして構成される。【００２０】また、真空破壊手段は、一端が第３の３方向バルブ後方に位置するよう、第１吸入管に連結され、他の端が第２排気管に連結される真空破壊管と、一端がエアコンプレッサーの吐出口に連結され、他の端が真空破壊管に第６の３方向バルブを介して連結される排気管構成もある。【００２１】同じく、それぞれのサイクロン気液分離器には、異物のレベルを検出して送出する第２および第３のレベルセンサーが設置されており、第１及び第２のサイクロン気液分離器の役割変更時期を決定する。
【発明の効果】
【００２２】本発明による歯科ユニットチェア用全自動乾式サクション装置では、患者の口腔から吸入された唾液や血膿などが混ざった汚水をサイクロン遠心分離器によって空気と完全に分離させることができるため、純粋な清浄空気だけがエアコンプレッサーに流入されるようにすることができ、これにより、異物の流入に起因する真空ポンプの損傷や効率の低下を最小限に抑えることができるようになる。【００２３】特に、本発明は、エアコンプレッサーの吸入力を利用して、ユニットチェアに真空を付与するため、一般的な水封式真空ポンプとは異なり、水の消費量を完全に排除し、最大の真空効率を得ることができる。また、従来とは異なり、汚染された封水の排出が全くないため、水質汚染の懸念も最小限に抑えることができる。【００２４】また、本発明はシングル方式の遠心分離器に３方向バルブを適用してエアコンプレッサーから吐出される空気から分離した異物を排出し、ダブル方式の遠心分離器に３方向バルブを適用して、交代に真空ポンプとの連結をチェックしながら真空破壊手段を介して異物を排出させるため、従来とは異なりサクション装置を停止せず分離した異物を自動的に容易に排出させることができるようになる。【００２５】したがって、本発明は、歯科用ユニットチェアの信頼性と安全性と使いやすさを向上し、コスト削減にも大きく寄与する非常に優れた効果がある。
【図面の簡単な説明】
【００２６】図１は、本発明による歯科ユニットチェア用全自動乾式サクション装置の第１発明を概略的に図示したシステム図、図２は、本発明による歯科ユニットチェア用全自動乾式サクション装置の第２発明を概略的に図示したシステム図、図３は、本発明による歯科ユニットチェア用全自動乾式サクション装置第２発明の他の実施例を概略的に示すシステム図である。
【発明を実施するための形態】
【００２７】本発明による歯科ユニットチェア用全自動乾式サクション装置の具体的な特徴及び他の利点は、添付された図面を参考に、以下のあるべき実施例の説明により明確になるだろう。
【００２８】図１において、本発明による歯科ユニットチェア用全自動乾式サクション装置の第１発明は、基本的にエアコンプレッサー（１０）と、患者の口腔から吸入された唾液や血膿などの異物が含まれている汚水を空気と分離除去するサイクロン遠心分離手段（２０）を含んで構成される。
【００２９】エアコンプレッサー（１０）は、周知の往復式コンプレッサーを使用することができ、空気吸入口（１１）と、圧縮された空気が外部に吐出される吐出口（１２）を有する。これらの往復式エアコンプレッサー（１０）は、構造上の吸入側の真空到達圧力が完全真空に近い約７００トール（ｔｏｒｒ）程度発生するため、歯科診療に必要な真空をユニットチェアに付与するのに十分である。
【００３０】サイクロン遠心分離手段（２０）は、患者の口腔から吸入された異物含有汚水を空気と分離させるサイクロン気液分離器（２１）と、このサイクロン気液分離器（２１）から分離された異物含有汚水が貯蔵される異物貯蔵庫（２２）を備える。
【００３１】サイクロン気液分離器（２１）は、下端部に円錐形（２１ａ）を有する円筒状に構成され、円錐形（２１ａ）の下端中央に異物排出口（２３）を有する。このサイクロン気液分離器（２１）の上端部の周囲は、吸入管（３０）を介してユニットチェアのサクションチップ（図示せず）に連結されて、上端には、吸気管（４０）を介してエアコンプレッサー（１０）の空気吸入口（１２）に連結される。
【００３２】異物貯蔵庫（２２）は、上端に入口（２４）を備えてサイクロン気液分離器（２１）の異物排出口（２３）と連結されて、下部に排出口（２５）を有する。この異物貯蔵庫（２２）の排出口（２５）は、分離された異物を外部に排出させるための排出管（５０）に連結される。
【００３３】サイクロン気液分離器（２１）の異物排出口（２３）と異物貯蔵庫（２２）の排出口（２５）には、エアコンプレッサ（１０）から吐出された圧縮空気の進路を選択的に変更するための分岐管（２６）の両端がそれぞれ第１および第２の３方向バルブ（２７ａ）（２７ｂ）を介して連結されている。このため、分岐管（２６）は、エアコンプレッサー（１０）の吐出口（１２）と排気管（２８）に連結されている。
【００３４】あるべき姿としてはサイクロン気液分離器（２１）内には、分離された異物含有汚水のレベルを検出し、その信号を制御部（図示せず）に送出することにより、第１および第２の３方向バルブ（２７ａ）（２７ｂ）を所定の異物排出モードで動作させるためのレベルセンサー（２９）が設けられている。
【００３５】一方、別途図示はしていないが、異物貯蔵庫（２２）の排出口（２５）に連結されて異物を外部に排出させる排出管（５０）は、分離された異物を殺菌処理するための殺菌手段、例えば、オゾン発生器などに接続されていることがより望ましい。
【００３６】このような本発明のサクション装置のあるべき姿として上述した各構成要素の動作を論理的に制御することができるマイコンなどの制御回路を内蔵した制御部（図示せず）と回路的に連結され、制御部の信号に基づいて自動的に制御される。
【００３７】次は、このような構造的特徴を有する本発明による歯科ユニットチェア用全自動乾式サクション装置第１発明の動作について説明する。
【００３８】治療のために装置を稼働すると、エアコンプレッサー（１０）が駆動し、真空が形成される。これにより、ユニットチェアのサクションチップを介して患者の口腔から唾液や血膿、歯石などの異物が含まれた状態の汚水が吸入管（３０）に沿ってサイクロン気液分離器（２１）の上端に吸入される。吸入された汚水がサイクロン気液分離器（２１）から真空速度によって空気とゴミを含有した流体で完全に分離され、異物がサイクロン気液分離器（２１）の下部に格納され、純粋な清浄空気のみ吸気管（４０）に沿ってエアコンプレッサー（１０）に流入することになる。
【００３９】したがってエアコンプレッサー（１０）の内部が唾液等により汚染されるおそれが確実に防止され、効率的な運転が可能となり、異物による損傷も極力抑えることで、装置の寿命も延長できる。
【００４０】この時、エアコンプレッサー（１０）の吐出口（１２）から吐出された圧縮空気は、サイクロン気液分離器（２１）の異物排出口（２３）と接続された分岐管（２６）の上端がブロックされた状態であるため、排気管（２８）からまさに分岐管（２６）の下端を通じて排出管（５０）に抜けていく。
【００４１】そして空気と分離された唾液や血膿などが含有された汚水は、サイクロン気液分離器（２１）に備えられたレベルセンサー（２９）が異物の充満状態を検出するまで異物貯蔵庫（２２）に続けて格納され、レベルセンサー（２９）が、これを検出し、その信号を制御部に送出すると、制御部の信号によって第１の３方向バルブ（２７ａ）がサイクロン気液分離器（２１）の異物排出口（２３）を遮断するとともに、第２の３方向バルブ（２７ｂ）が異物貯蔵庫（２２）の排出口（２５）を開放して排出管（５０）と連通する。
【００４２】すると、分岐管（２６）の下端が閉鎖されるとともに、その上端が異物貯蔵庫（２２）の入口（２４）と連結されエアコンプレッサー（１０）の圧縮空気が排気管（２８）を介して異物貯蔵庫（２２）の上端に流入することになる。このように、従来とは異なり、サクション装置を停止しなくてもサイクロン気液分離器（２１）に真空がかかっている状態となり、異物貯蔵庫（２２）内の異物をエアコンプレッサー（１０）の吐出空気を利用して、自動的に強制排出させることができる。
【００４３】図２においては、本発明による歯科ユニットチェア用全自動乾式サクション装置の第２発明の実施例が示されている。
【００４４】この実施例は、前述した第１発明の構成でサイクロン遠心分離手段の他の形態が適用されたもので、これを除いた残りの構成は、実質的に同一であるので便宜上、異なる部分についてのみ説明することにする。
【００４５】図２において、サイクロン遠心分離手段（６０）は、前述した第１発明とは異なり、サイクロン気液分離器（６１）（６２）が２つ設置されて異物の分離保管と排出を互いに交互的に実行する方式で、各サイクロン気液分離器（６１）（６２）の真空を選択的に破壊するための真空破壊手段を含んでいる。
【００４６】各サイクロン気液分離器（６１）（６２）は、下端部に円錐形部（６１ａ）（６２ａ）が形成され、この円錐形部（６１ａ）（６２ａ）に異物排出口（６３）（６４）をそれぞれ有する。また、これらの異物排出口（６３）（６４）は、第１および第２のチェックバルブ（７３）（７４）をそれぞれ備えて排出管（５０）に連結される。
【００４７】第１サイクロン気液分離器（６１）の上端部の周囲には、第１吸入管（６５）を介してユニットチェアのサクションチップ（図示せず）に繋がっていて、第２のサイクロン気液分離器（６２）の、その上端部周囲には出口が連結され、入口が第３の３方向バルブ（６７）を介して、第１吸入管（６５）に連結される第２吸入管（６６）によってサクションチップに連結される。
【００４８】第１サイクロン気液分離器（６１）の上端は、エアコンプレッサー（１０）の空気吸入口（１１）と、第１吸気管（６８）を介して連結されて、第２のサイクロン気液分離器（６２）の上端は、第１吸気管（６８）に第４の３方向バルブ（７０）を介して連結される第２吸気管（６９）によってエアコンプレッサー（１０）の空気吸入口（１１）と連結される。
【００４９】真空破壊手段は、第３の３方向バルブ（６７）後方に位置するように、第１吸入管（６５）に一端が連結され、他の端が第２吸気管（６９）に繋がっている真空破壊管（７１）と、この真空破壊管（７１）に設置され、第１及び第２のサイクロン気液分離器（６１）（６２）を選択的に大気と繋がる第５の３方向バルブ（７２）で構成することができる。
【００５０】この場合、前述した第１発明とは異なり、エアコンプレッサー（１０）の吐出口（１１）に備えられる排気管（２８ａ）は、そのまま大気に露出状態で存在することもできるが、異物を外部に排出させる排出管（５０）に繋がって重力によって自然排出される構成で異物が確実に排出されることができる。
【００５１】一方、第１及び第２のサイクロン気液分離器（６１）（６２）の内部には、分離された異物のレベルを検出して制御部に送出するための第２および第３のレベルセンサー（７５）（７６）がそれぞれ備えられることが望ましい。
【００５２】このような構造的特徴を有する本発明による歯科ユニットチェア用全自動乾式サクション装置の第２発明のサイクロンの遠心分離手段（６０）は、まず第３の３方向バルブ（６７）により第２吸入管（６６）が閉鎖されると同時に、第４の３方向バルブ（７０）により第２吸入管（６９）が閉鎖されてエアコンプレッサー（１０）による真空が第１サイクロン気液分離器（６１）と、第１吸入管（６５）を介してサクションチップに付与される。この時、第５の３方向バルブ（７２）は、第１サイクロン気液分離器（６１）は、大気と遮断させて、第２のサイクロン気液分離器（６２）を大気と繋げる。そして、第１サイクロン気液分離器（６１）の異物排出口（６３）に備えられた第１チェックバルブ（７３）は閉じた状態になる。
【００５３】これにより、患者の口腔から吸入された唾液などが含有された汚水は、第１吸入管（６５）を介して第１サイクロン気液分離器（６１）に流入され、真空速度によって空気とゴミが完全に分離された後、唾液などが含まれた液状異物は、第１サイクロン気液分離器（６１）の底部に落下されて貯蔵され、純粋な清浄空気のみが第１吸気管（６８）を介してエアコンプレッサー（１０）に流入することになる。
【００５４】このような運転により、第１サイクロン気液分離器（６１）の内部に液状異物が一定レベルまで貯蔵されると、第２のレベルセンサー（７５）が、これを検出して制御部に送出する。これにより、制御部の信号によって第３の３方向バルブ（６７）が第１吸入管（６５）を第２吸引管（６６）に連結させてサクションチップを第２サイクロン気液分離器（６２）に連結し、第４の３方向バルブ（７０）が第２吸気管（６９）を第１吸気管（６８）に連結されることで、第２サイクロン気液分離器（６２）に真空がかかるようになる。
【００５５】すると、患者の口腔から吸入された液状異物が、今度は第２サイクロン気液分離器（６２）に流入され、真空速度によって空気と完全に分離されて貯蔵される。
【００５６】これと同時に、第５の３方向バルブ（７２）が第２サイクロン気液分離器（６２）を大気と遮断させながら、第１サイクロン気液分離器（６１）を大気と繋げて、第１チェックバルブ（７３）が第１サイクロン気液分離器（６１）の異物排出口（６３）を開放させる。これにより、第１サイクロン気液分離器（６１）内に貯蔵された濃縮状態の異物が大気圧によって排出管（５０）を介して排出される。
【００５７】このような状態で運転が継続され、第２のサイクロン気液分離器（６２）に貯蔵された異物が充満すると、第２のレベルセンサー（７６）がこれを感知して制御部に送出し、それに応じて制御部の信号によって再び第１サイクロン気液分離器（６１）に真空が形成され、第２サイクロン気液分離器（６２）には、大気が作用して貯蔵された異物が排出管（５０）を介して排出させることになる。
【００５８】このような第２発明も前述した第１発明と同様に、サクション装置の運転を中断することなく、真空が形成されている状態でも、分離貯蔵された異物を容易に自動的に排出させることができる。
【００５９】一方、図３においては、本発明による歯科ユニットチェア用全自動乾式サクション装置第２発明の実施例が示されている。
【００６０】この実施例の場合、前述した第２発明の構成で、真空破壊手段が、一端が第３の３方向バルブ（６７）後方に位置するように、第１吸入管（６５）に連結されて他の端が第２吸気管（６９）に連結されている真空破壊管（７１）と、一端がエアコンプレッサー（１０）の吐出口（１２）に連結され、他の端が真空破壊管（７１）に第６の３方向バルブ（７７）を介して連結される排気管（２８ｂ）になる構成である。
【００６１】このような構成の実施例は、前述した第２発明の実施例で、第１または第２のサイクロン気液分離器（６１）（６２）の真空を破壊するのに大気に代わってエアコンプレッサー（１０）から吐出される圧縮空気が利用されるのと同様の作用効果を有するので便宜上、重複説明は差し控える。
【符号の説明】
【００６２】１０：エアコンプレッサー          １１：空気吸入口１２：吐出口                      ２０：サイクロン遠心分離手段２１；サイクロン気液分離器        ２２：異物貯蔵庫２３：異物排出口                  ２４：流入口２５：排出口                      ２６：分岐管２７ａ，２７ｂ：第１及び第２の３方向バルブ  ２８，２８ａ，２８ｂ：排気管２９：レベルセンサー                        ３０：吸入管４０：吸気管                                ５０：排出管６０：サイクロン遠心分離手段６１，６２：第１及び第２サイクロン気液分離器６５，６６：第１及び第２吸入管            ６７：第３の３方向バルブ６８，６９：第１及び第２吸気管            ７０：第４の３方向バルブ７１：真空破壊管                          ７２：第５の３方向バルブ７３，７４：第１及び第２チェックバルブ    ７５，７６：第２及び第３レベルセンサー７７：第６の３方向バルブ
【選択図】
【図１】
【図１】
2018108351.tif 000003
【図２】
2018108351.tif 000004
【図３】
2018108351.tif 000005
【手続補正書】
【提出日】平成30年1月27日(2018.1.27)
【手続補正２】
【補正対象書類名】明細書
【補正対象項目名】００２６
【補正方法】変更
【補正の内容】
【００２６】
【図１】は、本発明による歯科ユニットチェア用全自動乾式サクション装置の第１発明を概略的に図示したシステム図、
【図２】は、本発明による歯科ユニットチェア用全自動乾式サクション装置の第２発明を概略的に図示したシステム図、
【図３】は、本発明による歯科ユニットチェア用全自動乾式サクション装置第２発明の他の実施例を概略的に示すシステム図である。